【事件の表示】
　特許第２６５８０９１号「プリンタ装置」の請求項１に係る特許に対する特許異議の申立てについて、次のとおり決定する。
【結　論】
　特許第２６５８０９１号の特許を取り消す。
【理　由】
［１］手続の経緯
　本件特許第２６５８０９１号発明は、昭和６２年１１月１８日に特許出願され、平成９年６月６日にその特許の設定の登録がなされ、その後、相原光政より特許異議の申立がなされ、取消理由通知がなされ、その指定期間内である平成１０年９月１４日に訂正請求がなされ、訂正拒絶理由通知がなされ、その指定期間内である平成１１年８月２３日に手続き補正書が提出されたものである。
　
［２］．訂正の適否についての判断
１．訂正請求に対する補正の適否について
　平成１１年８月２３日付手続き補正書による補正は、全文訂正明細書の特許請求の範囲を減縮すると共に、それとの整合を図るため発明の詳細な説明を補正するものであって、特許請求の範囲の減縮、明りょうでない記載の釈明、及び、誤記の訂正を目的として訂正請求書を補正するものであり、訂正請求書の要旨を変更するものではなく、特許法第１２０条の４第３項で準用する同法第１３１条第２項の規定に適合するので、採用する。
　
２．訂正明細書の請求項１に係る発明
　前記補正の採用により訂正明細書の請求項１に係る発明は、その特許請求の範囲の請求項１に記載された事項により特定される次のとおりのものと認める。（以下、訂正発明と呼ぶ）
「【請求項１】　テープ状記録媒体に記録されたビデオ信号中の所望の画面をプリンター用紙にハードコピーするプリンタ装置において、
　上記テープ状記録媒体に記録されたビデオ信号の再生画面から、複数のハードコピーすべて画面を設定するための画面位置設定入力手段と、
　上記画面位置設定入力手段からの入力と、テープカウンタからのカウンター値に基づいて、上記複数のハードコピーすべき画面の上記テープ状記録媒体中の記録位置を記憶する記憶手段と、
　ハードコピー開始を指示するためのコピー開始入力手段と、
　上記コピー開始入力手段からの入力に基づいて、予め記憶されている上記複数のハードコピーすべき画面の上記テープ状記録媒体中の記録位置に対応する画面を上記記憶手段に記録位置が記憶されている順に上記テープ状記録媒体上でサーチし、変速再生用のフィールドメモリに取り込む制御手段と、
　上記フィールドメモリに取り込まれた画面をプリンタ用紙にハードコピーするプリント手段とを備え、
　上記制御手段は、上記プリント手段によるハードコピーが開始されたタイミングで次の記録位置に対応する画面のサーチを開始するようにしたプリンタ装置。」
３．訂正拒絶理由の引用刊行物
　訂正拒絶理由の引用刊行物とその記載事項は次のとおりである。
　刊行物１：特開昭５８−９７０４９号公報
　上記刊行物１（取消理由通知で引用した刊行物１と同じ）には、以下の事項が図面とともに記載されている。
（ア）「ビデオテープ等に記録されている連続映像情報から、希望する画面を選択し、この画面から写真や印刷物を作成する」（第１頁右下欄６行〜９行）、
（イ）「画像をディスプレイモニター８上に再生しながら、得意先からの印刷使用画面指示書あるいは得意先の立会いのもとで、随時所望の画面を選び出すと同時に画面選択指示操作卓１６のフレーム指定スイッチを押すことで、タイムコード読出し部１１で読み取られた選択画面のタイムコードが、タイムコードメモリ１３に登録される」（第３頁左上欄８行〜１４行）、
（ウ）「登録が完了したビデオテープ１０からカラーフィルム又は印刷分解版を作成するときは、ビデオテープ１０から、登録した画面を抽出する。この抽出は、・・・登録完了後操作卓２０のフレーム抽出スイッチを押せば、タイムコードメモリ１３に記録されているタイムコードが記録されている順に読出されフレーム検索部１２へ送られる。」（第３頁右上欄第７行〜１４行）
（エ）「ＶＴＲがスタート再生を開始し、予め各フレームに対応して記録されているタイムコードが順次タイムコード読出部１１によって読取られてフレーム検索部へ入力され、タイムコードメモリ１３・・・からのタイムコードと比較されて、両者が一致したとき、フレーム検索部１２から該当する画像信号のフリーズ命令がノイズリデューサ１８に対して出力され、所望のフレームがノイズリデューサ１８に内装するフレームメモリに記録される。」（第３頁右上欄１８行〜左下欄７行）、
（オ）「カラーフィルムまたは印刷分解版の作成終了以前であってもフレームメモリの内容を書換えることができる時期以降であれば次の画面の抽出を開始させることもできる。このようにすれば処理能率をさらに上げることができる」（第５頁右下欄５行〜９行）。
　これらの記載を含む明細書又は図面から、刊行物１には「ビデオテープに記録されたビデオ信号中の所望の画面をカラーフィルム、または印刷分解版にハードコピーする画像出力装置において、
　上記ビデオテープに記録されたビデオ信号の再生画面から、複数のハードコピーすべき画面を設定するためのフレーム指定スイッチと、
　上記フレーム指定スイッチからの入力と、タイムコード読出し部からのタイムコードに基づいて、上記複数のハードコピーすべき画面の上記ビデオテープ中の記録位置を記憶するタイムコードメモリと、
　ハードコピー開始を指示するためのフレーム抽出スイッチと、
　上記フレーム抽出スイッチからの入力に基づいて、予め記憶されている上記複数のハードコピーすべき画面の上記ビデオテープ中の記録位置に対応する画面を上記タイムコードメモリに記録位置が記憶されている順に上記ビデオテープ上でサーチし、変速を含む再生用のフィールドメモリに取り込む制御手段と、
　上記フィールドメモリに取り込まれた画面をカラーフィルム、または印刷分解版にハードコピーする画像出力手段とを備え、
　上記制御手段は、上記画像出力手段によるハードコピーが開始されたタイミングで次の記録位置に対応する画面のサーチを開始するようにした画像出力装置。」の発明が記載されているものと認められる。
　
４．対比、判断
　訂正発明と刊行物１記載の発明とを対比すると、刊行物１記載の発明の「ビデオテープ」、「フレーム指定スイッチ」、「タイムコードメモリ」、「フレーム抽出スイッチ」、は訂正発明の「テープ状記録媒体」、「画面位置設定入力手段」、「記憶手段」、「コピー開始入力手段」、にそれぞれ相当し、両者は、「テープ状記録媒体に記録されたビデオ信号中の所望の画面を視読媒体にハードコピーする画像出力装置において、
　上記テープ状記録媒体に記録されたビデオ信号の再生画面から、複数のハードコピーすべき画面を設定するための画面位置設定入力手段と、
　上記画面位置設定入力手段からの入力に基づいて、上記複数のハードコピーすべき画面の上記テープ状記録媒体中の記録位置を記憶する記憶手段と、
　ハードコピー開始を指示するためのコピー開始入力手段と、
　上記コピー開始入力手段からの入力に基づいて、予め記憶されている上記複数のハードコピーすべき画面の上記テープ状記録媒体中の記録位置に対応する画面を上記記憶手段に記録位置が記憶されている順に上記テープ状記録媒体上でサーチし、フィールドメモリに取り込む制御手段と、
　上記フィールドメモリに取り込まれた画面を視読媒体にハードコピーする出力手段とを備え、
　上記制御手段は、上記出力手段によるハードコピーが開始されたタイミングで次の記録位置に対応する画面のサーチを開始するようにした画像出力装置。」である点で一致し、次の点で相違する。
　（相違点）
（１）訂正発明では、プリンター用紙にハードコピーするプリンタ装置であるのに対して、上記刊行物１記載の発明では、カラーフィルムまたは印刷分解版へのハードコピーする画像出力装置である点。
（２）ハードコピーすべき画面を取り込むフィールドメモリが、訂正発明では、変速再生用のフィールドメモリであるのに対し、上記刊行物１記載の発明では、変速を含む再生用のフィールドメモリである点。
（３）制御手段が次の記録位置に対応する画面のサーチを開始するタイミングについて、訂正発明では、プリント手段によるハードコピーが開始されたタイミングであるのに対して、上記刊行物１記載の発明では、フレームメモリの内容を書換えることができる時期以降である点。
（４）記憶手段への複数のハードコピーすべき画面の上記テープ状記録媒体中の記録位置の記憶について、訂正発明では、テープカウンタからのカウンター値を記憶するのに対して、上記刊行物１記載の発明では、タイムコード読出し部からのタイムコードを記憶する点。
　　（判断）
　相違点１については、プリンター用紙にハードコピーするものも、カラーフィルム、または印刷分解版にハードコピーするものと同様に、所望の画像を視読媒体にハードコピーする画像出力装置であるから、プリンター用紙にハードコピーする装置とすることは当業者が適宜成し得る設計事項にすぎない。
　相違点２については、刊行物１記載の発明の変速を含む再生用のフィールドメモリを変速再生用のものに単に限定したにすぎず、当業者が適宜成し得る設計事項にすぎない。
　相違点３については、装置の動作手順を考慮して無駄な時間を省くことは、普通に行うことであり、ハードコピーが開始されれば、フレームメモリのコピーされた部分については、フレームメモリの内容を書換えることができるから、次の記録位置に対応する画面をフレームメモリに読み込むためのサーチを開始するタイミングとして、フレームメモリの内容を書換えることができる時期以降という引用例１に記載されたタイミングを、無駄な時間を省くために、プリント手段によるハードコピーが開始されたタイミングと限定することは、当業者が容易に成し得るものと認められる。
　相違点４については、テープカウンタを用いることは、ビデオ装置においては周知技術であり、そのカウンター値を人間が視認し記憶してビデオテープに記憶された画面の位置を特定することは、普通に行われていることであるから、テープカウンタのカウンター値を記憶手段へ記憶することが、上記刊行物に記載されていないとしても、ビデオテープに記憶された画面の位置を特定するために記憶手段に記憶する情報として、タイムコード読出し部からのタイムコードに換えて、テープカウンタからのカウンター値を用いることは、当業者が必要に応じて適宜採用する設計事項にすぎない。
　したがって、訂正発明は、刊行物１に記載された発明に基づいて当業者が容易に発明をすることができたものと認められる。
　
５．むすび
　以上のとおりであるから、訂正発明は、上記刊行物１記載の発明に基づいて当業者が容易に発明をすることができたものであり、特許法第２９条第２項の規定により特許出願の際独立して特許を受けることができないものであるから、本件訂正請求は、特許法第１２０条の４第３項で準用する同法第１２６条第４項の規定に違反するので、当該訂正は認められない。
［３］．特許異議申立についての判断
１．本件請求項１に係る発明
　本件請求項１に係る発明は、特許明細書及び図面の記載からみて、その特許請求の範囲の第１項に記載された次のとおりのものである（以下、本件発明という。）。
「【請求項１】記録媒体に記録されたビデオ信号中の所望の画面をハードコピーするプリンタ装置において、
上記記録媒体に記録されたビデオ信号の再生画面から、複数のハードコピーすべき画面を設定するための画面位置設定入力手段と、
上記画面位置設定入力手段からの入力に基づいて、上記複数のハードコピーすべき画面の上記記録媒体中の記録位置を記憶する手段と、
ハードコピー開始を指示するためのコピー開始入力手段と、
上記コピー開始入力手段からの入力に基づいて、予め記憶されている上記複数のハードコピーすべき画面の上記記録媒体中の記録位置に対応する画面を取り込む手段と、
上記取り込まれた画面をハードコピーする手段と
を備えるようにしたプリンタ装置。」
　
２．引用刊行物
　当審が通知した取消理由に引用した刊行物は次のとおりである。
　刊行物１：特開昭５８−９７０４９号公報
　上記刊行物１は、訂正拒絶理由で引用した刊行物１であり、以下の事項が図面とともに記載されている。
（ア）「ビデオテープ等に記録されている連続映像情報から、希望する画面を選択し、この画面から写真や印刷物を作成する」（第１頁右下欄６行〜９行）、
（イ）「画像をディスプレイモニター８上に再生しながら、得意先からの印刷使用画面指示書あるいは得意先の立会いのもとで、随時所望の画面を選び出すと同時に画面選択指示操作卓１６のフレーム指定スイッチを押すことで、タイムコード読出し部１１で読み取られた選択画面のタイムコードが、タイムコードメモリ１３に登録される」（第３頁左上欄８行〜１４行）、
（ウ）「登録完了後操作卓２０のフレーム抽出スイッチを押せば、タイムコードメモリ１３に記録されているタイムコードが記録されている順に読出されフレーム検索部１２へ送られる。」（第３頁右上欄第１０行〜１４行）
（エ）「ＶＴＲがスタート再生を開始し、予め各フレームに対応して記録されているタイムコードが順次タイムコード読出部１１によって読取られてフレーム検索部へ入力され、タイムコードメモリ１３・・・からのタイムコードと比較されて、両者が一致したとき、フレーム検索部１２から該当する画像信号のフリーズ命令がノイズリデューサ１８に対して出力され、所望のフレームがノイズリデューサ１８に内装するフレームメモリに記録される。」（第３頁右上欄１８行〜左下欄７行）。
　これらの記載を含む明細書又は図面から、刊行物１には「記録媒体に記録されたビデオ信号中の所望の画面をハードコピーする画像出力装置において、
　上記記録媒体に記録されたビデオ信号の再生画面から、複数のハードコピーすべき画面を設定するためのフレーム指定スイッチと、
　上記フレーム指定スイッチからの入力に基づいて、上記複数のハードコピーすべき画面の上記記録媒体中の記録位置を記憶する手段と、
　ハードコピー開始を指示するためのフレーム抽出スイッチと、
　上記フレーム抽出スイッチからの入力に基づいて、予め記憶されている上記複数のハードコピーすべき画面の上記記録媒体中の記録位置に対応する画面を取り込む制御手段と、
　上記取り込まれた画面をハードコピーする画像出力手段とを備えるようにした画像出力装置。」の発明が記載されているものと認められる。
　
３．対比・判断
　本件発明と刊行物１記載の発明とを対比すると、刊行物１記載の発明の「フレーム指定スイッチ」、「フレーム抽出スイッチ」は、本件発明の「画面位置設定入力手段」、「コピー開始入力手段」、にそれぞれ相当し、両者は、「記録媒体に記録されたビデオ信号中の所望の画面をハードコピーするプリンタ装置において、
上記記録媒体に記録されたビデオ信号の再生画面から、複数のハードコピーすべき画面を設定するための画面位置設定入力手段と、
上記画面位置設定入力手段からの入力に基づいて、上記複数のハードコピーすべき画面の上記記録媒体中の記録位置を記憶する手段と、
ハードコピー開始を指示するためのコピー開始入力手段と、
上記コピー開始入力手段からの入力に基づいて、予め記憶されている上記複数のハードコピーすべき画面の上記記録媒体中の記録位置に対応する画面を取り込む手段と、
上記取り込まれた画面をハードコピーする手段と
を備えるようにしたプリンタ装置。」である点で一致し、相違点はない。
　したがって、本件発明は、刊行物１に記載された発明と同一であると認められる。
　
４．むすび
　以上のとおりであるから、本件発明は、上記刊行物１記載の発明であるから、本件請求項１に係る特許は特許法第２９条第１項第３号の規定に違反してされたものである。
　したがって、本件請求項１に係る特許は、特許法第１１３条第１項第２号に該当するのでとりけすべきものである。
　よって、結論のとおり決定する。
【異議決定日】
平成１２年１月３１日（２０００．１．３１）